(57)【特許請求の範囲】
【請求項１】
複数の配列が配置された画素ユニットを有し、
各画素ユニットが一つの第一副画素、一つの第二副画素、一つの第三副画素を有し、
前記第二副画素と第三副画素は隣接する四つの画素ユニットで共用され、
隣接する四つの第三副画素が四角形になるよう配置され、
一つの第二副画素と隣接する四つの第一副画素が四角形内に位置し、かつ一つの第二副画素と一つの第三副画素の間に一つの第一副画素が配列され、四つの前記画素ユニットを構成する、
ことを特徴とするＲＧＢ画素法を採用したＯＬＥＤディスプレイの画素構造。
【請求項２】
前記第一副画素がその隣接する第二副画素の中心点と、第三副画素の中心点を結ぶ接続線上に位置する、
ことを特徴とする請求項１に記載のＲＧＢ画素法を採用したＯＬＥＤディスプレイの画素構造。
【請求項３】
前記第一副画素と、第二副画素と、第三副画素がいずれも多角形である、
ことを特徴とする請求項１に記載のＲＧＢ画素法を採用したＯＬＥＤディスプレイの画素構造。
【請求項４】
前記第一副画素と、第二副画素と、第三副画素の形状が四角形、六角形、八角形の内の一種又はその任意の組み合わせである、
ことを特徴とする請求項１に記載のＲＧＢ画素法を採用したＯＬＥＤディスプレイの画素構造。
【請求項５】
前記第一副画素が長方形であり、前記第二副画素と、第三副画素がいずれも正方形である、
ことを特徴とする請求項４に記載のＲＧＢ画素法を採用したＯＬＥＤディスプレイの画素構造。
【請求項６】
前記第一副画素の短辺方向が隣接する第二副画素の中心点と、第三副画素の中心点の接続方向に平行であり、
又は、前記第一副画素の短辺方向が隣接する第二副画素の中心点と、第三副画素の中心点の接続方向に垂直である、
ことを特徴とする請求項５に記載のＲＧＢ画素法を採用したＯＬＥＤディスプレイの画素構造。
【請求項７】
隣接する二つの画素ユニットの第一副画素と、第二副画素と、第三副画素がいずれも対称に設置されている、
ことを特徴とする請求項５に記載のＲＧＢ画素法を採用したＯＬＥＤディスプレイの画素構造。
【請求項８】
前記第一副画素の面積が前記第二副画素と第三副画素の面積より小さい、
ことを特徴とする請求項１に記載のＲＧＢ画素法を採用したＯＬＥＤディスプレイの画素構造。
【請求項９】
請求項１乃至８の内、任意の一項に記載されるＲＧＢ画素法を採用したＯＬＥＤディスプレイの画素構造を有する、
ことを特徴とするＲＧＢ画素法を採用したＯＬＥＤディスプレイパネル。
【発明の詳細な説明】
【技術分野】
【０００１】
本発明はディスプレイ技術分野に関わるものであり、特に一種画素構造及び該画素構造を有するＯＬＥＤディスプレイパネルに関わるものである。
【背景技術】
【０００２】
有機発光ディスプレイパネル（英語正式名称Ｏｒｇａｎｉｃ  Ｌｉｇｈｔ−Ｅｍｉｔｔｉｎｇ  Ｄｉｓｐｌａｙ、略称ＯＬＥＤディスプレイパネル）は、自発光する、薄くて軽い、視野角が広域である、応答速度が速い、省エネ、温度許容範囲が広い、フレキシブルディスプレイ、透明ディスプレイ等の特長を有し、次世代において最も高い潜在能力を有する新型フラットパネルディスプレイ技術と見なされている。
【０００３】
ＯＬＥＤディスプレイパネルのフルカラー化方式において、カラーフィルタ（英語正式名称ｃｏｌｏｒ  ｆｉｌｔｅｒ、略称ＣＦ）法と赤、緑、青（三原色Ｒｅｄ、Ｇｒｅｅｎ、Ｂｌｕｅ、略称ＲＧＢ）画素法が、現在、開発が比較的進んでいる二種の方法である。
【０００４】
ＯＬＥＤディスプレイパネル分野のカラーフィルタ法は、液晶パネル分野におけるフルカラーディスプレイのカラーフィルタ法に類似するものであり、白色有機発光ダイオードはバックライトパネルとして液晶パネル中のバックライトパネルと液晶分子の役割を果たし、上面に更に光学フィルタを追加することで赤、緑、青の副画素を実現する。このようにすれば解像度と大面積製造の問題を非常にうまく解決することができる。しかしながら、光線がカラーフィルタを通過することで、かなり大きなエネルギー損失が生じることになり、ディスプレイパネルの電力消費を増大させてしまう。
【０００５】
ディスプレイパネルの電力消費を有効に低減するために、通常は、ＲＧＢ画素法を採用することができる。
【０００６】
図１は従来のＲＧＢ画素法を採用したＯＬＥＤディスプレイパネルの概要を示す図である。図１に示す通り、ＯＬＥＤディスプレイパネルはＲＧＢ画素並列法を採用し、数個の画素ユニットＰｉｘｅｌを有し、各画素ユニットＰｉｘｅｌはいずれも水平方向に順次配列される一つの赤副画素ユニットＲと、一つの緑副画素ユニットＧと、一つの青副画素ユニットＢとを有し、ＯＬＥＤディスプレイパネル上の全副画素ユニットがマトリクス配列を呈し、更に各副画素ユニットがいずれも表示域１と非表示域２とを有する。具体的には、各副画素ユニットの表示域１中に、陰極と、陽極と、電界発光層（有機発射層）とを有し、ここで、電界発光層が陰電極と陽電極の間に位置し、所定の色の光線を生成して表示を実現するために用いられる。一般的には蒸着方式によってＯＬＥＤディスプレイパネル上に電界発光層を形成する。既存技術においてディスプレイパネルを製造する場合は、通常、三回の蒸着工程を用いてそれぞれ対応する色の画素ユニットの表示域１中において対応する色（赤、緑又は青）の電界発光層を形成する必要がある。
【０００７】
図２は従来の別のＲＧＢ画素法を採用するＯＬＥＤディスプレイパネルの概要を示す図である。図２に示す通り、ＲＧＢ画素マトリクス法を採用するＯＬＥＤディスプレイパネルは、数個の画素ユニットＰｉｘｅｌを有し、各画素ユニットＰｉｘｅｌは、一つの赤副画素ユニットＲと、一つの緑副画素ユニットＧと、一つの青副画素ユニットＢとを有し、上述の三つの副画素ユニット中、二つの画素ユニット、例えば赤副画素ユニットＲと緑副画素ユニットＧが一列に配列され、第３の画素ユニット、例えば青副画素ユニットＢが別の一列に配列され、ＯＬＥＤディスプレイパネル上の全副画素ユニットがマトリクス配列を呈する。
【０００８】
技術の発展に伴い、ユーザーのＯＬＥＤディスプレイパネル解像度に対する要求はますます高くなり、従来のＲＧＢ画素配列では製品の高ＰＰＩ（１インチ当たりの画素数）設計に対する要求を既に満たせなくなっている。
【発明の概要】
【発明が解決しようとする課題】
【０００９】
本発明は、以下の画素構造を提供する。複数の配列が配置された画素ユニットを有し、各画素ユニットが一つの第一副画素と、一つの第二副画素と、一つの第三副画素と有し、前記第二副画素と第三副画素は隣接する四つの画素ユニットで共用される。
【００１０】
一つの実施形態において、隣接する四つの第三副画素が四角形になるよう配置され、一つの第二副画素と隣接する四つの第一副画素位が四角形内に位置し、かつ一つの第二副画素と一つの第三副画素の間に一つの第一副画素が配列され、四つの画素ユニットが構成される。
【００１１】
一つの実施形態において、前記第一副画素がその隣接する第二副画素の中心点と、第三副画素の中心点を結ぶ接続線上に位置する。
【００１２】
一つの実施形態において、前記第一副画素と、第二副画素と、第三副画素がいずれも多角形である。
【００１３】
一つの実施形態において、前記第一副画素と、第二副画素と、第三副画素の形状が四角形、六角形、八角形の内、一種又はその任意の組み合わせである。
【００１４】
一つの実施形態において、前記第一副画素が長方形であり、前記第二副画素と、第三副画素がいずれも正方形である。
【００１５】
一つの実施形態において、前記第一副画素の短辺方向が隣接する第二副画素と第三副画素の中心点との接続方向に平行である。又は、前記第一副画素の短辺方向が隣接する第二副画素と第三副画素の中心点との接続方向に垂直である。
【００１６】
一つの実施形態において、隣接する二つの画素ユニットの第一副画素と、第二副画素と、第三副画素がいずれも対称に設置されている。
【００１７】
一つの実施形態において、前記第一副画素の面積が前記第二副画素と第三副画素の面積より小さい。
【００１８】
本発明は更に上述の画素構造を有するＯＬＥＤディスプレイパネルを提供する。
【００１９】
上述の技術的課題を解決するため、本発明は以下のＯＬＥＤディスプレイパネルの画素構造を提供する。各画素ユニットは一つの第一副画素と、一つの第二副画素と、一つの第三副画素とを有し、前記第二副画素と、第三副画素は隣接する四つの画素ユニットで共用される。これにより、同一のＰＰＩと設計マージンでの状況下において副画素の開口率を向上させ、又は、同一のＰＰＩと開口率での状況下において製品の設計マージンを高めさせ、工程の難度を低下させることができる。
【図面の簡単な説明】
【００２０】
【図１】従来のＯＬＥＤディスプレイパネルの一部画素構造の概要を示す図である。
【図２】従来の別のＯＬＥＤディスプレイパネルの一部画素構造の概要を示す図である。
【図３】本発明の実施例一のＯＬＥＤディスプレイパネルの一部画素構造の概要を示す図である。
【図４】図３に示す画素構造の内の四つの画素ユニットの概要を示す図である。
【図５】本発明の実施例二のＯＬＥＤディスプレイパネルの一部画素構造の概要を示す図である。
【図６】図５に示す画素構造の内の四つの画素ユニットの概要を示す図である。
【図７】本発明の実施例三のＯＬＥＤディスプレイパネルの一部画素構造の概要を示す図である。
【図８】図７に示す画素構造の内の四つの画素ユニットの概要を示す図である。
【発明を実施するための形態】
【００２１】
背景技術において述べた通り、従来のＲＧＢ画素配列では製品の高ＰＰＩ設計に対する要求を既に満たせなくなっている。これに基づき、本発明は以下のＯＬＥＤディスプレイパネルの画素構造を提供する。複数の配列が配置された画素ユニットを有し、各画素ユニットが一つの第一副画素と、一つの第二副画素と、一つの第三副画素とを有し、前記第二副画素と、第三副画素は隣接する四つの画素ユニットで共用される。これにより、同一のＰＰＩと設計マージンでの状況下において副画素の開口率を向上させ、部品の寿命を延長させ、又は、同一のＰＰＩと開口率での状況下において製品の設計マージンを高めさせ、工程の難度を低下させ、収率を向上させることができる。
【００２２】
以上が本出願の核となる思想であり、以下、本発明の実施例中の図を参照し、本発明の実施例中の技術的解決手段について明確かつ不備無く説明する。ここで説明する実施例は本発明の一部の実施例に過ぎず、全ての実施例でないことは言うまでもない。本発明中の実施例に基づき、本分野の一般的な技術者が創造的な作業を行わないという前提下において獲得したその他の実施例は、全て本発明の保護の範囲に該当する。
【００２３】
本発明を十分に理解するため、以下、本発明の具体的な実施例について詳細に説明するが、本発明はこれらの実施例と異なる形態で実施することができ、当業者により、本発明の精神を逸脱することなく発明を広げることができ、所謂、以下公開した具体的な実施例は本発明の範囲を限定することを意図するものではない。
また、本発明は図面と結びつけながら本発明の具体的な実施例について詳細に説明するものであり、理解しやすくするため、部品構造を示す断面図について一般的な縮尺比率を使用せず、一部拡大し、且つ前記図面は例に過ぎず、本発明の範囲を限定するものではないことは言うまでもない。更に、実際の作製において、長さ、厚さ及び深さの三次元寸法が含まれるべきである。
以下、実施例によって、本発明が提供する画素構造及び該画素構造を有するＯＬＥＤディスプレイパネルについて具体的に説明する。明確且つ簡単にするため、以下では副画素の中心の位置で副画素の位置として説明するが、本発明を限定するものではないことが明らかである。副画素の頂点、あるいは、他の基準点の位置で副画素の位置として説明することができると当業者は理解すべきである。
【００２４】
実施例一
図３は本発明の実施例一のＯＬＥＤディスプレイパネルの一部画素構造の概要を示す図であり、図４は図３に示す画素構造の内の四つの画素ユニットの概要を示す図である。
【００２５】
図３〜４に示す通り、ＯＬＥＤディスプレイパネルの画素構造は複数の配列が配置された画素ユニット１１０を有し、各画素ユニット１１０はそれぞれ一つの第一副画素１１１と、一つの第二副画素１１２と、一つの第三副画素１１３という三つの副画素を有し、前記第一副画素１１１は一つの画素ユニット１１０専用であり、第二副画素１１２と、第三副画素１１３は隣接する四つの画素ユニットで共用される。同一のＰＰＩと設計マージンでの状況下において副画素の開口率を向上させ、これにより部品の寿命を延長させることができる。同一のＰＰＩと開口率での状況下において、隣接する画素間の間隙を相応に拡大することによって、ファインメタルマスクを使用する沈積工程における有機発射層の沈積安定性の改善に寄与し、製品の設計マージンを高めさせ、工程の難度を低下させることができる。
【００２６】
図４中の四角い点線の囲みに示されるように、隣接する四つの第三副画素１１３が、例えば正方形のような四角形になるよう配置され、一つの第二副画素１１２と隣接する四つの第一副画素１１１が四角形内に位置し、即ち、四つの第三副画素１１３が一つの第二副画素１１２と隣接する四つの第一副画素１１１を取り囲む。具体的には、四つの第三副画素１１３がそれぞれ四角形の四つの頂点Ｐ１、Ｐ２、Ｐ３、Ｐ４上に位置し、一つの第二副画素と一つの第三副画素１１３の間に一つの第一副画素１１１が配列され、これにより四つの画素ユニット１１０が構成され、第二副画素１１２は図４に示す四つの画素ユニット１１０で共用される。
【００２７】
図４を主に参照するに、本実施例において、第二副画素１１２は四角形の中心に位置し、また第一副画素１１１はその隣接する第二副画素１１２の中心点と、第三副画素１１３の中心点を結ぶ接続線上に位置し、更に、第一副画素１１１が隣接する第二副画素１１２と第三副画素１１３の接続線の中心に位置する。第一副画素１１１の位置は以上の説明に限定されないことは言うまでもなく、例えば第一副画素１１１は第二副画素１１２の中心点と、第三副画素１１３の中心点を結ぶ接続線上に位置しなくともよく、実際には、第一副画素１１１が隣接する第二副画素１１２と第三副画素１１３の間に位置し、第二副画素１１２と第三副画素１１３が隣接する四つの画素ユニットの共用部であればよい。
【００２８】
本実施例の画素構造において、第一副画素１１１と、第二副画素１１２と、第三副画素１１３はいずれも四角形であり、具体的には、第一副画素１１１が長方形であり、第二副画素１１２と第三副画素１１３がいずれも正方形であって、第一副画素１１１の長辺方向が隣接する第二副画素１１２の中心点と、第三副画素１１３の中心点の接続方向に平行であり、その短辺方向が隣接する第二副画素１１２の中心点と、第三副画素１１３の中心点の接続方向に垂直である。
【００２９】
好ましくは、図４中の仮想的な辺Ｌ１、Ｌ２で示す通りように、隣接する二つの画素ユニットの第一副画素１１１は隣接する第二副画素１１２の接続方向に沿って鏡面対称である。ここで言う「鏡面対称」とは二つの第一副画素１１１の形状は同一であるが方向が異なる対称のことを言う。一方、隣接する第二副画素１１２と、第三副画素１１３はいずれも自己対称である。ここで言う「自己対称」とは二つの副画素の形状と方向が完全に同一な対称のことを言う。
【００３０】
以上、四角形を例に挙げて第一副画素１１１と、第二副画素１１２と、第三副画素１１３の形状を紹介したが、本発明のその他の実施形態において、第一副画素１１１と、第二副画素１１２と、第三副画素１１３はその他の形状、例えば、三角形、五角形、六角形、七角形、八角形等の多種の多角形の内の一種又は複数であってもよく、更に第一副画素１１１の長辺方向は第二副画素１１２の中心点と、第三副画素１１３の中心点の接続方向と平行でなくともよく、例えば一定の夾角を有することとする。
【００３１】
図３と図４を参照するに、本実施例において、第二副画素１１２と第三副画素１１３の面積は同一であり、各第一副画素１１１は隣接する第二副画素１１２と第三副画素１１３より更に小さい面積を有する。本実施例においては第一副画素１１１の面積を最小とし、その他の副画素の面積はいずれも第一副画素１１１の面積より大きくするのは、その他の副画素はいずれも隣接する四つの画素ユニットで共用されることを考慮したためであり、それらの面積をやや大きくさせた。しかしながら、本発明は各副画素の具体的な面積を限定するものではなく、第一副画素１１１と、第二副画素１１２と、第三副画素１１３の面積は同一であっても、同一でなくともよく、配色の要求に応じて各副画素の面積を相応に調節できることを理解すべきである。
【００３２】
引き続き図３を参照するに、本実施例において、隣接する第一副画素１１１間の距離をＤ１、第一副画素１１１と隣接する第二副画素１１２間の距離をＤ２、第一副画素１１１と隣接する第三副画素１１３間の距離をＤ３、隣接する二つの第二副画素１１２間の距離をＤ４、隣接する二つの第三副画素１１３間の距離をＤ５とする。第二副画素１１２と、第三副画素１１３は隣接する四つの画素ユニットで共用されることから、従来の構造と同一のＰＰＩと開口率での状況下において、第二副画素１１２と、第三副画素１１３の面積を縮小させた後、隣接する副画素間の間隙であるＤ２、Ｄ３、Ｄ４、Ｄ５等を相応に拡大することで、ファインメタルマスクを使用する沈積工程における有機発射層の沈積安定性を改善し、工程の難度を低下させることができる。本実施例では、隣接する二つの第二副画素１１２間の距離Ｄ４と隣接する二つの第三副画素１１３間の距離Ｄ５がやや大きいため、この位置に絶縁カラムを設置し、これによりディスプレイパネルの強度を高めることができる。
【００３３】
本実施例では、各奇数行において、第二副画素１１２と第三副画素１１３を交互に排列し、かつ二者の間の全てに一つの第一副画素１１１を配列し、例えば図３中の第一仮想直線Ｘ１に沿って配列する。各偶数行において幾つかの第一副画素１１１を直線に沿って配列し、例えば図３中の第二仮想直線Ｘ２に沿って配列する。各奇数列において、第二副画素１１２と第三副画素１１３を交互に排列し、かつ二者の間の全てに一つの第一副画素１１１を配列し、例えば図３中の第一仮想直線Ｙ１に沿って配列する。各偶数列において、第一副画素１１１を直線に沿って配列し、例えば図３中の第二仮想直線Ｙ２に沿って配列する。また隣接する二つの第二副画素１１２と隣接する二つの第三副画素１１３間にはそれぞれ第一副画素１１１が設置されない。本発明のその他の実施形態において、第二副画素１１２と第三副画素１１３の位置を交換してもよい。言い変えれば、各奇数行において、第一副画素１１１を直線に沿って配列し、各偶数行において、第二副画素１１２と第三副画素１１３を交互に排列し、かつ二者の間の全てに一つの第一副画素１１１を備えてもよい。各奇数列において、第一副画素１１１を直線に沿って配列してもよい。各偶数列において、第二副画素１１２と第三副画素１１３を交互に排列し、かつ二者の間の全てに一つの第一副画素１１１を備えてもよい。なお簡潔を期するため、図３はＯＬＥＤディスプレイパネルの一部画素構造を概略的に表示したに過ぎず、実際はより多くの列及び／又はより多くの行を設置できることを理解すべきである。
【００３４】
本実施例において、第一副画素１１１は赤色光を発射し、かつ赤色光を発射するための有機発射層を有する。第二副画素１１２は青色光を発射し、かつ青色光を発射するための有機発射層を有する。第三副画素１１３は緑色光を発射し、かつ緑色光を発射するための有機発射層を有する。本発明における各副画素の色光は交換可能であって、以下の条件を満たせば足りることを理解すべきである。第一副画素１１１と、第二副画素１１２と、第三副画素１１３の内、少なくとも赤色副画素と、緑色副画素と、青色副画素を有すればよく、例えば、その他の実施形態において、第一副画素１１１が青色光を発射し、第二副画素１１２が赤色光を発射し、第三副画素１１３が緑色光を発射する等でもよいが、ここでは逐一列挙しない。
【００３５】
実施例二
図５は本発明の実施例二のＯＬＥＤディスプレイパネルの一部画素構造の概要を示す図であり、図６は図５に示す画素構造の内の四つの画素ユニットの概要を示す図である。
【００３６】
図５〜６に示す通り、ＯＬＥＤディスプレイパネルの画素構造は複数の配列が配置された画素ユニット１１０を有し、各画素ユニット１１０はそれぞれ一つの第一副画素１１１と、一つの第二副画素１１２と、一つの第三副画素１１３という三つの副画素を有し、前記第一副画素１１１は一つの画素ユニット１１０専用であり、第二副画素１１２と、第三副画素１１３は隣接する四つの画素ユニットで共用される。
【００３７】
本実施例と実施例一の異なる点は、第一副画素１１１の短辺方向が隣接する第二副画素１１２の中心点と、第三副画素１１３の中心点の接続方向に平行であって、その長辺方向が隣接する第二副画素１１２の中心点と、第三副画素１１３の中心点の接続方向に垂直である点であり、図５と図６に示す通りである。
【００３８】
実施例三
図７は本発明の実施例三のＯＬＥＤディスプレイパネルの一部画素構造の概要を示す図であり、図８は図７に示す画素構造の内の四つの画素ユニットの概要を示す図である。
【００３９】
図７〜８に示す通り、ＯＬＥＤディスプレイパネルの画素構造は複数の配列が配置された画素ユニット１１０を有し、各画素ユニット１１０はそれぞれ一つの第一副画素１１１と、一つの第二副画素１１２と、一つの第三副画素１１３という三つの副画素を有し、前記第一副画素１１１は一つの画素ユニット１１０専用であり、第二副画素１１２と、第三副画素１１３は隣接する四つの画素ユニットで共用される。
【００４０】
本実施例と実施例一の異なる点は、第一副画素１１１、第二副画素１１２と第三副画素１１３がいずれも正方形であり、隣接する二つの画素ユニットの第一副画素１１１と、第二副画素１１２と、第三副画素１１３がいずれも自己対称である点である。具体的に言えば、隣接する二つの画素ユニットの第一副画素１１１が隣接する第二副画素１１２又は第三副画素１１３の接続方向に沿って自己対称であり、図８中の仮想的な辺Ｌ１、Ｌ２に示す通りである。
【００４１】
実施例四
本実施例は実施例一又は実施例二又は実施例三に記載の画素構造を有するＯＬＥＤディスプレイパネルを提供するものである。
【００４２】
一つの実施形態において、第一副画素１１１、第二副画素１１２、第三副画素１１３中に各画素を駆動するためのゲート線、データ線、駆動用電源線等の電源線が設置される。また画素限定層等の各画素を限定するための絶縁層が設置される。好ましくは、一つの実施形態において、第一副画素１１１と、第二副画素１１２と、第三副画素１１３中においてそれぞれに対応する陽極と、有機発射層と、陰極を有するＯＬＥＤが設置される。電源線、画素限定層、陽極等によって各画素の形状が限定される。これら構造は本分野において周知の技術であり、本文では説明を簡潔にするため、その更なる説明を省略するが、本分野の技術者ならば、これを理解すべきである。
【００４３】
ＯＬＥＤディスプレイパネルの画素内に備えられる有機発射層はマスク（ファインメタルマスク（ＦＭＭ））を使用する沈積（蒸着）工程によって形成される。隣接する画素間の間隙を減少させることで画素の高い開口率が得られるものの、沈積の信頼性が低下してしまう。その反面、画素間の間隙を拡大させることで沈積の信頼性は向上するものの、画素の開口率が低下してしまう。本発明では従来のＲＧＢ画素の配置構造を転換し、副画素の面積を従来の構造より更に小さくすることが可能である。同一のＰＰＩと設計マージンでの状況下において、副画素の開口率を向上させ、これにより、ＯＬＥＤディスプレイパネルの使用寿命の短縮を抑制し、部品の寿命を延長させることができる。同一のＰＰＩと開口率での状況下において、副画素の面積を縮小することができ、隣接する副画素間の間隙を相応に拡大することによって、ファインメタルマスクを使用する沈積工程における有機発射層の沈積安定性を改善し、製品の設計マージンを高めさせ、工程の難度を低下させることができる。この他、隣接する二つの第二副画素と隣接する二つの第三副画素間の距離がやや広いことから、この位置に絶縁カラムを設置し、これによりディスプレイパネルの強度を高めることができる。
【００４４】
本明細書の各実施例は累加的形式を用いてこれを説明するものであり、各実施例において重点的に説明するのは全てその他実施例と異なる点についてであり、各実施例間の同一及び類似部分は相互に参照すべきであることを特筆しておく。
【００４５】
上述の説明は本発明の比較的好ましい実施例の説明に過ぎず、本発明の範囲を何ら限定するものではなく、本分野の一般の技術者が上述の記載内容に基づき加えた変更、修正は、等しく特許請求において保護される範囲に該当する。
【符号の説明】
【００４６】
１ 表示域
２ 非表示域
１１０ 画素ユニット
１１１ 第一副画素
１１２ 第二副画素
１１３ 第三副画素
Ｘ１ 第一仮想直線
Ｘ２ 第二仮想直線
Ｙ１ 第一仮想直線
Ｙ２ 第二仮想直線
【図１】
0006579675.tif 000002
【図２】
0006579675.tif 000003
【図３】
0006579675.tif 000004
【図４】
0006579675.tif 000005
【図５】
0006579675.tif 000006
【図６】
0006579675.tif 000007
【図７】
0006579675.tif 000008
【図８】
0006579675.tif 000009